(57)【要約】【課題】無線端末のハンドオーバ時に無線基地局間でパケット転送を行うシステム構成において、リアルタイム通信用パケットに対するオーバヘッド及び処理負荷を低減可能なパケット通信システムを提供する。【解決手段】本発明に係るパケット通信システムでは、第２無線基地局１ＢのＩＲＴＰ部１２Ｂ、ＲＬＰ部１３Ｂ及びＳＰ部１４Ｂは、第１無線基地局１Ａから受信したパケットがリアルタイム通信用パケットである場合、ＩＲＴＰヘッダ、ＲＬＰヘッダ、ＳＰヘッダの挿入を省略する。また、無線端末２の第２受信処理部２０Ｂは、第２無線基地局１Ｂから受信したパケットがリアルタイム通信用パケットである場合、ＩＲＴＰヘッダ、ＲＬＰヘッダ、ＳＰヘッダに基づく受信処理を省略する。【選択図】図６
2009206815.tif 000002
【特許請求の範囲】
【請求項１】
第１無線基地局と、前記第１無線基地局と通信可能な第２無線基地局と、前記第１無線基地局から前記第２無線基地局へ接続先を切り替える無線端末とを含むパケット通信システムであって、
前記第１無線基地局は、
前記無線端末に送信すべきパケットに対し、前記無線端末と前記第１無線基地局との下り方向通信の制御に用いられる第１制御データを挿入する第１制御データ挿入部と、
前記接続先の切り替え時において、前記第１制御データが挿入された前記パケットを前記第２無線基地局に転送するパケット転送部と
を備え、
前記第２無線基地局は、
前記第１無線基地局から受信した前記パケットに対し、前記無線端末と前記第２無線基地局との下り方向通信の制御に用いられる第２制御データを挿入する第２制御データ挿入部と、
前記第１制御データと前記第２制御データとが挿入された前記パケットを前記無線端末に送信するパケット送信部と
を備え、
前記無線端末は、
前記第２無線基地局から受信した前記パケットに挿入されている前記第１制御データに基づく受信処理を実行する第１受信処理部と、
前記第２無線基地局から受信した前記パケットに挿入されている前記第２制御データに基づく受信処理を実行する第２受信処理部と
を備え、
前記第２制御データ挿入部は、前記第１無線基地局から受信した前記パケットが特定種別のパケットである場合、前記第２制御データの挿入を省略し、
前記第２受信処理部は、前記第２無線基地局から受信した前記パケットが前記特定種別のパケットである場合、前記第２制御データに基づく受信処理を省略するパケット通信システム。
【請求項２】
前記第１無線基地局は、前記無線端末に送信すべき前記パケットを暗号化する第１暗号化部をさらに備え、
前記第２無線基地局は、前記第１無線基地局から受信した前記パケットを暗号化する第２暗号化部をさらに備え、
前記無線端末は、
前記第２無線基地局から受信した前記パケットに対し、前記第１暗号化部が実行する暗号化に対応する復号化を実行する第１復号化部と、
前記第２無線基地局から受信した前記パケットに対し、前記第２暗号化部が実行する暗号化に対応する復号化を実行する第２復号化部と
をさらに備え、
前記第２暗号化部は、前記第１無線基地局から受信した前記パケットが前記特定種別のパケットである場合、前記第１無線基地局から受信した前記パケットに対する暗号化を省略し、
前記第２復号化部は、前記第２無線基地局から受信した前記パケットが前記特定種別のパケットである場合、前記第２暗号化部が実行する暗号化に対応する復号化を省略する請求項1に記載のパケット通信システム。
【請求項３】
前記第２無線基地局は、前記無線端末が受信に失敗した前記パケットを前記無線端末に再送するパケット再送部をさらに備え、
前記パケット再送部は、前記第１無線基地局から受信した前記パケットが前記特定種別のパケットである場合、前記無線端末が受信に失敗した前記パケットの再送を省略する請求項1に記載のパケット通信システム。
【請求項４】
前記第１無線基地局は、前記第２無線基地局に転送される前記パケットが前記特定種別のパケットであるか否かを判定するパケット種別判定部をさらに備え、
前記パケット転送部は、前記第２無線基地局に転送される前記パケットが前記特定種別のパケットであると判定された場合、前記特定種別と異なる種別のパケットよりも前記特定種別のパケットを優先して前記第２無線基地局に転送する請求項1に記載のパケット通信システム。
【請求項５】
前記特定種別のパケットは、音声データを伝送するリアルタイム通信用のパケットである請求項４に記載のパケット通信システム。
【請求項６】
前記無線端末に送信すべき前記パケットは、前記音声データが挿入されるペイロード領域を含み、
前記パケット種別判定部は、前記ペイロード領域のデータサイズに応じて、前記特定種別のパケットであるか否かの判定を行う請求項５に記載のパケット通信システム。
【請求項７】
前記第１無線基地局は、前記第２無線基地局に転送される前記パケットが前記特定種別のパケットであると判定された場合、前記特定種別のパケットであることを示す第1特定種別情報を前記第２無線基地局に転送される前記パケットに挿入する第1特定種別情報挿入部をさらに備え、
前記第２制御データ挿入部は、前記第１無線基地局から受信した前記パケットに前記第1特定種別情報が挿入されている場合、前記第１無線基地局から受信した前記パケットが前記特定種別のパケットであるとみなして前記第２制御データの挿入を省略する請求項４に記載のパケット通信システム。
【請求項８】
前記第２無線基地局は、前記第１無線基地局から受信した前記パケットに前記第1特定種別情報が挿入されている場合、前記特定種別のパケットであることを示す第２特定種別情報を前記無線端末に送信される前記パケットに挿入する第２特定種別情報挿入部をさらに備え、
前記第２受信処理部は、前記第２無線基地局から受信した前記パケットに前記第２特定種別情報が挿入されている場合、前記第２無線基地局から受信した前記パケットが前記特定種別のパケットであるとみなして前記第２制御データに基づく受信処理を省略する請求項７に記載のパケット通信システム。
【請求項９】
前記第１制御データ及び前記第２制御データは、前記第１受信処理部及び前記第２受信処理部間での前記パケットの転送に用いられるデータである請求項1に記載のパケット通信システム。
【請求項１０】
前記第１制御データ及び前記第２制御データは、前記パケットの分割と、分割された前記パケットの再構築とに用いられるデータである請求項1に記載のパケット通信システム。
【請求項１１】
前記第１制御データ及び前記第２制御データは、前記パケットの再送制御に用いられるデータである請求項1に記載のパケット通信システム。
【請求項１２】
前記第１制御データ及び前記第２制御データは、前記パケットの用途に応じたストリームへの振り分けに用いられるデータである請求項1に記載のパケット通信システム。
【請求項１３】
前記特定種別のパケットは、音声データ又は映像データの少なくとも一方を伝送するリアルタイム通信用のパケットである請求項1に記載のパケット通信システム。
【請求項１４】
第１無線通信装置と、前記第１無線通信装置と通信可能な第２無線通信装置と、前記第１無線通信装置から前記第２無線通信装置へ接続先を切り替える第３無線通信装置とを含むパケット通信システムであって、
前記第１無線通信装置は、
前記第３無線通信装置に送信すべきパケットに対し、前記第３無線通信装置と前記第１無線通信装置との通信の制御に用いられる第１制御データを挿入する第１制御データ挿入部と、
前記接続先の切り替え時において、前記第１制御データが挿入された前記パケットを前記第２無線通信装置に転送するパケット転送部と
を備え、
前記第２無線通信装置は、
前記第１無線通信装置から受信した前記パケットに対し、前記第３無線通信装置と前記第２無線通信装置との通信の制御に用いられる第２制御データを挿入する第２制御データ挿入部と、
前記第１制御データと前記第２制御データとが挿入された前記パケットを前記第３無線通信装置に送信するパケット送信部と
を備え、
前記第３無線通信装置は、
前記第２無線通信装置から受信した前記パケットに挿入されている前記第１制御データに基づく受信処理を実行する第１受信処理部と、
前記第２無線通信装置から受信した前記パケットに挿入されている前記第２制御データに基づく受信処理を実行する第２受信処理部と
を備え、
前記第２制御データ挿入部は、前記第１無線通信装置から受信した前記パケットが特定種別のパケットである場合、前記第２制御データの挿入を省略し、
前記第２受信処理部は、前記第２無線通信装置から受信した前記パケットが前記特定種別のパケットである場合、前記第２制御データに基づく受信処理を省略するパケット通信システム。
【請求項１５】
無線端末の接続先の切り替え時において、前記接続先の切り替え元となる他の無線基地局から、前記無線端末と前記他の無線基地局との下り方向通信の制御に用いられる第１制御データが挿入されたパケットを受信するとともに、前記接続先の切り替え先となる無線基地局であって、
前記他の無線基地局から受信した前記パケットに対し、前記無線基地局と前記無線端末との下り方向通信の制御に用いられる第２制御データを挿入する制御データ挿入部と、
前記第１制御データと前記第２制御データとが挿入された前記パケットを前記無線端末に送信するパケット送信部と
を備え、
前記制御データ挿入部は、前記他の無線基地局から受信した前記パケットが特定種別のパケットである場合、前記第２制御データの挿入を省略する無線基地局。
【請求項１６】
第１無線基地局から第２無線基地局への接続先の切り替え時において、前記第１無線基地局から前記第２無線基地局へ転送されたパケットを前記第２無線基地局から受信する無線端末であって、
前記第２無線基地局から受信した前記パケットに挿入され、前記無線端末と前記第１無線基地局との下り方向通信の制御に用いられる第１制御データに基づく受信処理を実行する第１受信処理部と、
前記第２無線基地局から受信した前記パケットに挿入され、前記無線端末と前記第２無線基地局との下り方向通信の制御に用いられる第２制御データに基づく受信処理を実行する第２受信処理部と
を備え、
前記第２受信処理部は、前記第２無線基地局から受信した前記パケットが特定種別のパケットである場合、前記第２制御データに基づく受信処理を省略する無線端末。
【請求項１７】
第１無線基地局と、前記第１無線基地局と通信可能な第２無線基地局と、前記第１無線基地局から前記第２無線基地局へ接続先を切り替える無線端末とを用いたパケット通信方法であって、
前記第１無線基地局が、前記無線端末に送信すべきパケットに対し、前記無線端末と前記第１無線基地局との下り方向通信の制御に用いられる第１制御データを挿入するステップと、
前記第１無線基地局が、前記接続先の切り替え時において、前記第１制御データが挿入された前記パケットを前記第２無線基地局に転送するステップと、
前記第２無線基地局が、前記第１無線基地局から受信した前記パケットに対し、前記無線端末と前記第２無線基地局との下り方向通信の制御に用いられる第２制御データを挿入するステップと、
前記第２無線基地局が、前記第１制御データと前記第２制御データとが挿入された前記パケットを前記無線端末に送信するステップと、
前記無線端末が、前記第２無線基地局から受信した前記パケットに挿入されている前記第２制御データに基づく受信処理を実行するステップと、
前記無線端末が、前記第２無線基地局から受信した前記パケットに挿入されている前記第１制御データに基づく受信処理を実行するステップと
を備え、
前記第２制御データを挿入するステップでは、前記第２無線基地局が前記第１無線基地局から受信した前記パケットが特定種別のパケットである場合、前記第２制御データの挿入が省略され、
前記第２制御データに基づく受信処理を実行するステップでは、前記無線端末が前記第２無線基地局から受信した前記パケットが前記特定種別のパケットである場合、前記第２制御データに基づく受信処理が省略されるパケット通信方法。
【発明の詳細な説明】
【技術分野】
【０００１】
本発明は、無線基地局間でパケットを転送可能なパケット通信システム、無線基地局、無線端末及びパケット通信方法に関する。
【背景技術】
【０００２】
従来、無線端末は、移動中などにおいてより条件の良い無線基地局へ接続先を切り替える、いわゆるハンドオーバを行っている。このようなハンドオーバ時において、無線端末へ送信すべきパケットを、ハンドオーバ元の無線基地局からハンドオーバ先の無線基地局へ転送するパケット通信システムが提案されている。このような方式を採用するパケット通信システムとしては、例えば3GPP2（Third Generation Partnership Project 2）にて規格策定中のUMB（Ultra Mobile Broadband）が挙げられる（非特許文献１参照）。
【０００３】
このようなパケット通信システムでは、無線端末は、ハンドオーバ元の無線基地局からハンドオーバ先の無線基地局へ転送されたパケットをハンドオーバ先の無線基地局から受信する。これにより、ハンドオーバ元の無線基地局において無線端末に未送信のパケットをハンドオーバ先の無線基地局から無線端末へ送信することができ、無線端末へ送信すべきパケットのパケットロスが低減される。
【０００４】
このようなパケット通信システムにおいて、ハンドオーバ元の無線基地局及びハンドオーバ先の無線基地局のそれぞれは、無線端末との下り方向通信の制御に用いられる制御データをパケットのヘッダとして挿入する。
【０００５】
そして、無線端末は、ハンドオーバ先の無線基地局から受信したパケットに挿入されている各制御データに基づく受信処理を実行する。具体的には、無線端末は、ハンドオーバ先の無線基地局が挿入した制御データに基づく受信処理後に、ハンドオーバ元の無線基地局が挿入した制御データに基づく受信処理を実行する。このような方式は、受信処理の画一化・統一化という点においてメリットがある。
【非特許文献１】“Overview for Ultra Mobile Broadband (UMB) Air Interface Specification（3GPP2 C.S0084-000-0）”、［ｏｎｌｉｎｅ］、［平成２０年２月２０日検索］、＜ＵＲＬ：http://www.3gpp2.org/Public_html/specs/C.S0084-000-0_v2.0_070904.pdf＞
【発明の開示】
【発明が解決しようとする課題】
【０００６】
しかしながら、ハンドオーバ元の無線基地局及びハンドオーバ先の無線基地局のそれぞれがパケットに制御データを挿入する場合、無線端末がハンドオーバ先の無線基地局から受信するパケットにおける制御データ（ヘッダ）の占める割合であるオーバヘッドが増大する。特に、リアルタイム通信に用いられるような特定種別のパケットは、他の種別のパケットと比較してパケットサイズが小さいため、上記のオーバヘッドの増大が深刻な問題になる。
【０００７】
また、無線端末は、ハンドオーバ元の無線基地局がパケットに挿入した制御データに基づく受信処理と、ハンドオーバ先の無線基地局がパケットに挿入した制御データに基づく受信処理とを実行するため、無線端末の処理負荷が増大する。特に、上記のような特定種別のパケットは、他の種別のパケットと比較して小さい処理遅延が要求されるため、処理負荷の増大に起因する処理遅延の増大が深刻な問題になる。
【０００８】
そこで、本発明は、上述した課題を解決するためになされたものであり、無線端末のハンドオーバ時に無線基地局間でパケット転送を行うシステム構成において、特定種別のパケットに対するオーバヘッド及び処理負荷を低減可能なパケット通信システム、無線基地局、無線端末及びパケット通信方法を提供することを目的とする。
【課題を解決するための手段】
【０００９】
上述した課題を解決するために、本発明は以下のような側面を有している。まず、本発明の第１の側面は、第１無線基地局（第１無線基地局１Ａ）と、前記第１無線基地局と通信可能な第２無線基地局（第２無線基地局１Ｂ）と、前記第１無線基地局から前記第２無線基地局へ接続先を切り替える無線端末（無線端末２）とを含むパケット通信システム（パケット通信システム１０）であって、前記第１無線基地局は、前記無線端末に送信すべきパケットに対し、前記無線端末と前記第１無線基地局との下り方向通信の制御に用いられる第１制御データ（ＲＬＰヘッダ（Ａ）、ＳＰヘッダ（Ａ）、ＲＰヘッダ（Ａ））を挿入する第１制御データ挿入部（ＲＬＰ部１３Ａ、ＳＰ部１４Ａ、ＲＰ部１５Ａ）と、前記接続先の切り替え時において、前記第１制御データが挿入された前記パケットを前記第２無線基地局に転送するパケット転送部（ＲＰ部１５Ａ）とを備え、前記第２無線基地局は、前記第１無線基地局から受信した前記パケットに対し、前記無線端末と前記第２無線基地局との下り方向通信の制御に用いられる第２制御データ（ＩＲＴＰヘッダ（Ａ）、ＲＬＰヘッダ（Ｂ）、ＳＰヘッダ（Ｂ）、ＲＰヘッダ（Ｂ））を挿入する第２制御データ挿入部（ＩＲＴＰ部１２Ｂ、ＲＬＰ部１３Ｂ、ＳＰ部１４Ｂ、ＲＰ部１５Ｂ）と、前記第１制御データと前記第２制御データとが挿入された前記パケットを前記無線端末に送信するパケット送信部（ＰＣＰ／ＭＡＣ／ＰＨＹ部１６Ｂ）とを備え、前記無線端末は、前記第２無線基地局から受信した前記パケットに挿入されている前記第１制御データに基づく受信処理を実行する第１受信処理部（第１受信処理部２０Ａ）と、前記第２無線基地局から受信した前記パケットに挿入されている前記第２制御データに基づく受信処理を実行する第２受信処理部（第２受信処理部２０Ｂ）とを備え、前記第２制御データ挿入部は、前記第１無線基地局から受信した前記パケットが特定種別のパケットである場合、前記第２制御データの挿入を省略し、前記第２受信処理部は、前記第２無線基地局から受信した前記パケットが前記特定種別のパケットである場合、前記第２制御データに基づく受信処理を省略することを要旨とする。
【００１０】
このような側面によれば、無線端末のハンドオーバ時に無線基地局間でパケット転送を行うシステム構成において、特定種別のパケットに対するオーバヘッド及び処理負荷を低減可能なパケット通信システムを提供することができる。
【００１１】
本発明の第２の側面は、本発明の第1の側面に係り、前記第１無線基地局は、前記無線端末に送信すべき前記パケットを暗号化する第１暗号化部（ＲＬＰ部１３Ａ）をさらに備え、前記第２無線基地局は、前記第１無線基地局から受信した前記パケットを暗号化する第２暗号化部（ＲＬＰ部１３Ｂ）をさらに備え、前記無線端末は、前記第２無線基地局から受信した前記パケットに対し、前記第１暗号化部が実行する暗号化に対応する復号化を実行する第１復号化部（ＲＬＰ部２３Ａ）と、前記第２無線基地局から受信した前記パケットに対し、前記第２暗号化部が実行する暗号化に対応する復号化を実行する第２復号化部（ＲＬＰ部２３Ｂ）とを備え、前記第２暗号化部は、前記第１無線基地局から受信した前記パケットが前記特定種別のパケットである場合、前記第１無線基地局から受信した前記パケットに対する暗号化を省略し、前記第２復号化部は、前記第２無線基地局から受信した前記パケットが前記特定種別のパケットである場合、前記第２暗号化部が実行する暗号化に対応する復号化を省略することを要旨とする。
【００１２】
本発明の第３の側面は、本発明の第1の側面に係り、前記第２無線基地局は、前記無線端末が受信に失敗した前記パケットを前記無線端末に再送するパケット再送部（ＲＬＰ部１３Ｂ）をさらに備え、前記パケット再送部は、前記第１無線基地局から受信した前記パケットが前記特定種別のパケットである場合、前記無線端末が受信に失敗した前記パケットの再送を省略することを要旨とする。
【００１３】
本発明の第４の側面は、本発明の第1の側面に係り、前記第１無線基地局は、前記第２無線基地局に転送される前記パケットが前記特定種別のパケットであるか否かを判定するパケット種別判定部（ＲＬＰ部１３Ａ）をさらに備え、前記パケット転送部は、前記第２無線基地局に転送される前記パケットが前記特定種別のパケットであると判定された場合、前記特定種別と異なる種別のパケットよりも前記特定種別のパケットを優先して前記第２無線基地局に転送することを要旨とする。
【００１４】
本発明の第５の側面は、本発明の第４の側面に係り、前記特定種別のパケットは、音声データを伝送するリアルタイム通信用のパケットであることを要旨とする。
【００１５】
本発明の第６の側面は、本発明の第５の側面に係り、前記無線端末に送信すべき前記パケットは、前記音声データが挿入されるペイロード領域とを含み、前記パケット種別判定部は、前記ペイロード領域のデータサイズに応じて、前記特定種別のパケットであるか否かの判定を行うことを要旨とする。
【００１６】
本発明の第７の側面は、本発明の第４の側面に係り、前記第１無線基地局は、前記第２無線基地局に転送される前記パケットが前記特定種別のパケットであると判定された場合、前記特定種別のパケットであることを示す第1特定種別情報を前記第２無線基地局に転送される前記パケットに挿入する第1特定種別情報挿入部（ＲＰ部１５Ａ）を備え、前記第２制御データ挿入部は、前記第１無線基地局から受信した前記パケットに前記第1特定種別情報が挿入されている場合、前記第１無線基地局から受信した前記パケットが前記特定種別のパケットであるとみなして前記第２制御データの挿入を省略することを要旨とする。
【００１７】
本発明の第８の側面は、本発明の第７の側面に係り、前記第２無線基地局は、前記第１無線基地局から受信した前記パケットに前記第1特定種別情報が挿入されている場合、前記特定種別のパケットであることを示す第２特定種別情報を前記無線端末に送信される前記パケットに挿入する第２特定種別情報挿入部（ＲＰ部１５Ｂ）を備え、前記第２受信処理部は、前記第２無線基地局から受信した前記パケットに前記第２特定種別情報が挿入されている場合、前記第２無線基地局から受信した前記パケットが前記特定種別のパケットであるとみなして前記第２制御データに基づく受信処理を省略することを要旨とする。
【００１８】
本発明の第９の側面は、本発明の第1の側面に係り、前記第１制御データ及び前記第２制御データは、前記第１受信処理部及び前記第２受信処理部間での前記パケットの転送に用いられるデータ（ＩＲＴＰヘッダ）であることを要旨とする。
【００１９】
本発明の第１０の側面は、本発明の第1の側面に係り、前記第１制御データ及び前記第２制御データは、前記パケットの分割と、分割された前記パケットの再構築とに用いられるデータ（ＲＬＰヘッダ）であることを要旨とする。
【００２０】
本発明の第１１の側面は、本発明の第1の側面に係り、前記第１制御データ及び前記第２制御データは、前記パケットの再送制御に用いられるデータ（ＲＬＰヘッダ）であることを要旨とする。
【００２１】
本発明の第１２の側面は、本発明の第1の側面に係り、前記第１制御データ及び前記第２制御データは、前記パケットの用途に応じたストリームへの振り分けに用いられるデータ（ＳＰヘッダ）であることを要旨とする。
【００２２】
本発明の第１３の側面は、本発明の第1の側面に係り、前記特定種別のパケットは、音声データ又は映像データの少なくとも一方を伝送するリアルタイム通信用のパケットであることを要旨とする。
【００２３】
本発明の第１４の側面は、第１無線通信装置（第１無線基地局１Ａ）と、前記第１無線通信装置と通信可能な第２無線通信装置（第２無線基地局１Ｂ）と、前記第１無線通信装置から前記第２無線通信装置へ接続先を切り替える第３無線通信装置（無線端末２）とを含むパケット通信システム（パケット通信システム１０）であって、前記第１無線通信装置は、前記第３無線通信装置に送信すべきパケットに対し、前記第３無線通信装置と前記第１無線通信装置との通信の制御に用いられる第１制御データを挿入する第１制御データ挿入部と、前記接続先の切り替え時において、前記第１制御データが挿入された前記パケットを前記第２無線通信装置に転送するパケット転送部とを備え、前記第２無線通信装置は、前記第１無線通信装置から受信した前記パケットに対し、前記第３無線通信装置と前記第２無線通信装置との通信の制御に用いられる第２制御データを挿入する第２制御データ挿入部と、前記第１制御データと前記第２制御データとが挿入された前記パケットを前記第３無線通信装置に送信するパケット送信部とを備え、前記第３無線通信装置は、前記第２無線通信装置から受信した前記パケットに挿入されている前記第１制御データに基づく受信処理を実行する第１受信処理部と、前記第２無線通信装置から受信した前記パケットに挿入されている前記第２制御データに基づく受信処理を実行する第２受信処理部とを備え、前記第２制御データ挿入部は、前記第１無線通信装置から受信した前記パケットが特定種別のパケットである場合、前記第２制御データの挿入を省略し、前記第２受信処理部は、前記第２無線通信装置から受信した前記パケットが前記特定種別のパケットである場合、前記第２制御データに基づく受信処理を省略することを要旨とする。
【００２４】
本発明の第１５の側面は、無線端末（無線端末２）の接続先の切り替え時において、前記接続先の切り替え元となる他の無線基地局（第１無線基地局１Ａ）から、前記無線端末と前記他の無線基地局との下り方向通信の制御に用いられる第１制御データが挿入されたパケットを受信するとともに、前記接続先の切り替え先となる無線基地局（第２無線基地局１Ｂ）であって、前記他の無線基地局から受信した前記パケットに対し、前記無線基地局と前記無線端末との下り方向通信の制御に用いられる第２制御データを挿入する制御データ挿入部（ＩＲＴＰ部１２Ｂ、ＲＬＰ部１３Ｂ、ＳＰ部１４Ｂ、ＲＰ部１５Ｂ）と、前記第１制御データと前記第２制御データとが挿入された前記パケットを前記無線端末に送信するパケット送信部（ＰＣＰ／ＭＡＣ／ＰＨＹ部１６Ｂ）とを備え、前記制御データ挿入部は、前記他の無線基地局から受信した前記パケットが特定種別のパケットである場合、前記第２制御データの挿入を省略することを要旨とする。
【００２５】
本発明の第１６の側面は、第１無線基地局（第１無線基地局１Ａ）から第２無線基地局（第２無線基地局１Ｂ）への接続先の切り替え時において、前記第１無線基地局から前記第２無線基地局へ転送されたパケットを前記第２無線基地局から受信する無線端末（無線端末２）であって、前記第２無線基地局から受信した前記パケットに挿入され、前記無線端末と前記第１無線基地局との下り方向通信の制御に用いられる第１制御データに基づく受信処理を実行する第１受信処理部（第１受信処理部２０Ａ）と、前記第２無線基地局から受信した前記パケットに挿入され、前記無線端末と前記第２無線基地局との下り方向通信の制御に用いられる第２制御データに基づく受信処理を実行する第２受信処理部（第２受信処理部２０Ｂ）とを備え、前記第２受信処理部は、前記第２無線基地局から受信した前記パケットが特定種別のパケットである場合、前記第２制御データに基づく受信処理を省略することを要旨とする。
【００２６】
本発明の第１７の側面は、第１無線基地局と、前記第１無線基地局と通信可能な第２無線基地局と、前記第１無線基地局から前記第２無線基地局へ接続先を切り替える無線端末とを用いたパケット通信方法であって、前記第１無線基地局が、前記無線端末に送信すべきパケットに対し、前記無線端末と前記第１無線基地局との下り方向通信の制御に用いられる第１制御データを挿入するステップと、前記第１無線基地局が、前記接続先の切り替え時において、前記第１制御データが挿入された前記パケットを前記第２無線基地局に転送するステップと、前記第２無線基地局が、前記第１無線基地局から受信した前記パケットに対し、前記無線端末と前記第２無線基地局との下り方向通信の制御に用いられる第２制御データを挿入するステップと、前記第２無線基地局が、前記第１制御データと前記第２制御データとが挿入された前記パケットを前記無線端末に送信するステップと、前記無線端末が、前記第２無線基地局から受信した前記パケットに挿入されている前記第２制御データに基づく受信処理を実行するステップと、前記無線端末が、前記第２無線基地局から受信した前記パケットに挿入されている前記第１制御データに基づく受信処理を実行するステップとを備え、前記第２制御データを挿入するステップでは、前記第２無線基地局が前記第１無線基地局から受信した前記パケットが特定種別のパケットである場合、前記第２制御データの挿入が省略され、前記第２制御データに基づく受信処理を実行するステップでは、前記無線端末が前記第２無線基地局から受信した前記パケットが前記特定種別のパケットである場合、前記第２制御データに基づく受信処理が省略されることを要旨とする。
【発明の効果】
【００２７】
本発明によれば、無線端末のハンドオーバ時に無線基地局間でパケット転送を行うシステム構成において、特定種別のパケットに対するオーバヘッド及び処理負荷を低減可能なパケット通信システム、無線基地局、無線端末及びパケット通信方法を提供できる。
【発明を実施するための最良の形態】
【００２８】
次に、図面を参照して、本発明の実施形態を説明する。具体的には、（１）パケット通信システムの概略構成、（２）パケット通信システムの詳細構成、（３）パケットの構成、（４）パケット通信システムの概略動作、（５）ハンドオーバ元無線基地局の動作、（６）ハンドオーバ先無線基地局の動作、（７）無線端末の動作、（８）作用及び効果、（９）その他の実施形態について説明する。
【００２９】
以下の実施形態における図面の記載において、同一又は類似の部分には同一又は類似の符号を付している。
【００３０】
（１）パケット通信システムの概略構成
まず、パケット通信システムの概略構成、具体的には、（１．１）全体概略構成、（１．２）無線基地局の概略構成、（１．３）無線端末の概略構成について説明する。
【００３１】
（１．１）全体概略構成
図１は、本実施形態に係るパケット通信システム１０の全体概略構成図である。
【００３２】
図１に示すように、パケット通信システム１０は、第１無線基地局１Ａ、第２無線基地局１Ｂ、無線端末２、アクセスゲートウェイ３、及びインターネット４を含む。本実施形態では、パケット通信システム１０は、高速通信可能な広域ＩＰブロードバンドシステムの１つである3GPP2 UMB Air Interface （以下、単に「ＵＭＢシステム」という）に基づく構成を有する。
【００３３】
第１無線基地局１Ａ、第２無線基地局１Ｂ及びアクセスゲートウェイ３は、図示を省略するルータなどを介して互いに有線接続されている。第１無線基地局１Ａ及び第２無線基地局１Ｂは、アクセスゲートウェイ３を介してインターネット４と通信可能である。また、第１無線基地局１Ａ及び第２無線基地局１Ｂは、互いに通信（すなわち、基地局間通信）することができる。
【００３４】
第１無線基地局１Ａ及び第２無線基地局１Ｂは、通信可能エリア内に位置する無線端末２と無線通信する。無線端末２は、第１無線基地局１Ａ及び第２無線基地局１Ｂが送信する無線信号（例えば、パイロット信号）の受信品質を比較して受信品質が高い方に接続する。
【００３５】
図１の例では、無線端末２は、第１無線基地局１Ａの通信可能エリアから第２無線基地局１Ｂの通信可能エリアに向けて移動しており、第１無線基地局１Ａから第２無線基地局１Ｂへ接続先を切り替えるハンドオーバを実行する。
【００３６】
ここで、第１無線基地局１Ａと、第１無線基地局１Ａ及びアクセスゲートウェイ３間の通信経路とには、無線端末２に送信すべき下りパケットが残存することになる。そこで、第１無線基地局１Ａは、アクセスゲートウェイ３と第２無線基地局１Ｂとの中継局（アンカー）となり、無線端末２へ未送信のパケットを第２無線基地局１Ｂへ基地局間通信を利用して転送する。これにより、パケットロスの少ないハンドオーバが実現される。
【００３７】
ＵＭＢシステムにおいては、第１無線基地局１Ａのようにアクセスゲートウェイ３及び第２無線基地局１Ｂ間の中継局として機能する無線基地局をＤＡＰ(Data Attachment Point)と称し、第２無線基地局１Ｂのように実際に無線端末２に下りパケットを送信する無線基地局をＦＬＳＥ(Forward Link Serving eBS)と称し、第２無線基地局１Ｂのように実際に無線端末２から上りパケットを受信する無線基地局をＲＬＳＥ(Reverse Link Serving eBS)と称している。なお、ＦＬＳＥとＲＬＳＥとが異なる無線基地局となる場合もある。
【００３８】
特に、ＵＭＢシステムでは、第１無線基地局１Ａにて送信予定であったパケットに、第２無線基地局１Ｂがハンドオーバ元の第１無線基地局１Ａを示す情報を付与し、第２無線基地局１Ｂから送信する通常のパケットとして扱い、所定の処理を行った後無線端末２に送信する。
【００３９】
具体的には、ハンドオーバ元の第１無線基地局１Ａ及びハンドオーバ先の第２無線基地局１Ｂのそれぞれは、無線端末２との下り方向通信の制御に用いられる制御データをパケットのヘッダとして挿入する。以下においては、ハンドオーバ元の第１無線基地局１Ａがパケットに挿入する制御データ（ヘッダ）を適宜「第１制御データ」と称し、ハンドオーバ先の第２無線基地局１Ｂがパケットに挿入する制御データ（ヘッダ）を適宜「第２制御データ」と称する。無線端末２は、ハンドオーバ先の第２無線基地局１Ｂから受信したパケットに挿入されている第1制御データ及び第２制御データに基づく受信処理を実行する。
【００４０】
また、ＵＭＢシステムにおいて、ハンドオーバ元の第１無線基地局１Ａからハンドオーバ先の第２無線基地局１ＢへＤＡＰを切り替える方式として、以下の（ａ）〜（ｃ）などが想定されている。
【００４１】
（ａ）ハンドオーバから一定期間経過した後に、ＤＡＰを第１無線基地局１Ａから第２無線基地局１Ｂに切り替える方式
（ｂ）送受信のユーザデータトラフィックがなくなった際に、ＤＡＰを第１無線基地局１Ａから第２無線基地局１Ｂに切り替える方式
（ｃ）第１無線基地局１Ａにて未処理・未送信のデータを第２無線基地局１Ｂに送信が完了した際に、ＤＡＰを第１無線基地局１Ａから第２無線基地局１Ｂに切り替える方式
【００４２】
このようにＤＡＰを第１無線基地局１Ａから第２無線基地局１Ｂに切り替えることによってＤＡＰとＦＬＳＥとが同じ無線基地局になる。
【００４３】
以下の実施形態では、下り方向通信（フォワードリンク）において、第１無線基地局１ＡがＤＡＰであり、且つ第２無線基地局１ＢがＦＬＳＥである場合について説明する。また、無線端末２が、音声通信（ＶｏＩＰ）やメディア通信などのリアルタイム通信を実行する場合について説明する。
【００４４】
（１．２）無線基地局の概略構成
図２は、第１無線基地局１Ａの概略構成を示す概略構成図である。第２無線基地局１Ｂの概略構成は第１無線基地局１Ａと同様であるため、第２無線基地局１Ｂの概略構成についての説明は省略する。
【００４５】
図２に示すように、第１無線基地局１Ａは、ＲＦ部１０１、制御部１０２、Ｉ／Ｆ部１０３、及び記憶部１０４を含む。
【００４６】
ＲＦ部１０１は、ＬＮＡ、パワーアンプ、アップコンバータ及びダウンコンバータなどを含み、無線信号の送受信を行う。Ｉ／Ｆ部１０３は、ルータなどを介して第２無線基地局１Ｂ及びアクセスゲートウェイ３に有線接続される。
【００４７】
制御部１０２は、例えばＣＰＵによって構成され、第１無線基地局１Ａが具備する各種機能を制御する。また、制御部１０２は、後述する各種のプロトコルに従った処理を実行する。
【００４８】
記憶部１０４は、例えばメモリによって構成され、第１無線基地局１Ａにおける制御などに用いられる各種情報を記憶する。また、記憶部１０４は、無線端末２と送受信するデータを一時的に記憶するバッファ部１０４ａを有する。バッファ部１０４ａは、優先度に応じた複数の送信キューを有している。
【００４９】
（１．３）無線端末の概略構成
図３は、無線端末２の概略構成を示す概略構成図である。
【００５０】
図３に示すように、無線端末２は、ＲＦ部２０１、操作部２０２、制御部２０３、音声コーデック部２０４、マイク２０５、スピーカ２０６、表示部２０７、及び記憶部２０８を含む。
【００５１】
ＲＦ部２０１は、ＬＮＡ、パワーアンプ、アップコンバータ及びダウンコンバータなどを含み、無線信号の送受信を行う。制御部２０３は、例えばＣＰＵによって構成され、無線端末２が具備する各種機能を制御する。また、制御部２０３は、後述する各種のプロトコルに従った処理を実行する。記憶部２０８は、例えばメモリによって構成され、無線端末２における制御などに用いられる各種情報を記憶する。
【００５２】
表示部２０７は、制御部２０３を介して受信した画像を表示したり、操作内容（入力電話番号やアドレスなど）を表示したりする。操作部２０２は、テンキーやファンクションキーなどによって構成され、ユーザの操作内容を入力するために用いられるインタフェースである。
【００５３】
マイク２０５は、音声を集音し、集音された音声に基づく音声データを音声コーデック部２０４経由で制御部２０３に入力する。スピーカ２０６は、音声コーデック部２０４を介して制御部２０３から取得した音声データに基づいて音声を出力する。
【００５４】
音声コーデック部２０４は、例えば音声コーデック方式Ｇ．７２９に従って構成される。Ｇ．７２９は、アナログ電話帯域（３．４ｋＨｚ≒４ｋＨｚ）の信号を８ｋＨｚでサンプリング（標本化）し、８ｋｂｐｓの伝送速度を実現する方式であり、狭帯域の伝送路を使用した通信において適応力がある。
【００５５】
（２）パケット通信システムの詳細構成
次に、パケット通信システム１０の詳細構成、具体的には、（２．１）ＵＭＢシステム概要、（２．２）ハンドオーバ元無線基地局の詳細構成、（２．３）ハンドオーバ先無線基地局の詳細構成、（２．４）無線端末の詳細構成について説明する。
【００５６】
（２．１）ＵＭＢシステム概要
図４は、無線端末２の第１受信処理部２０Ａ及び第２受信処理部２０Ｂを説明するための図である。
【００５７】
ＵＭＢシステムでは、無線端末２の内部に、通信相手の無線基地局の数に合わせて複数の受信モジュールが存在する。本実施形態では、第１受信処理部２０Ａは、第１無線基地局１Ａに対応する受信モジュールである。第２受信処理部２０Ｂは、第２無線基地局１Ｂに対応する受信モジュールである。
【００５８】
まず、第２受信処理部２０Ｂは、無線区間を介してパケットを受信し、第２無線基地局１Ｂが挿入した制御データに従った受信処理後、パケットを第１受信処理部２０Ａに内部転送する。第１受信処理部２０Ａは、第１無線基地局１Ａから直接パケットを受信する場合と同様の受信処理を行うこととなる。
【００５９】
このように、無線端末２においては、ハンドオーバ時に、ハンドオーバ先の第２無線基地局１Ｂに対応する第２受信処理部２０Ｂを経由して、ハンドオーバ元の第１無線基地局１Ａに対応する第１受信処理部２０Ａのプロトコル処理を行う。このような方式は、受信処理（受信モジュール）の画一化・統一化という点においてメリットがある。
【００６０】
本実施形態では、音声パケットなどのリアルタイム通信用パケットについては、第２受信処理部２０Ｂの処理を一部省略して、第１受信処理部２０Ａの処理に移行するものとする。具体的には、音声通信（ＶｏＩＰ）やメディア通信において、IETF RFC1889 Real Time Transport Protocol(RTP)などのプロトコルが適用される。
【００６１】
ＵＭＢシステムでは、IETF RFC3931 Layer Two Tunneling Protocol-Version 3 (L2TPv3)、IETF RFC2784 Generic Routing Encapsulation (GRE)に代表されるようなIPトンネリング技術が採用される。具体的には、第１無線基地局１Ａとアクセスゲートウェイ３間のユーザデータベアラにはＧＲＥが採用され、第１無線基地局１Ａと第２無線基地局１Ｂ間のユーザデータベアラにはL2TPv3が採用される。
【００６２】
図５は、第１無線基地局１Ａ、第２無線基地局１Ｂ及び無線端末２の詳細構成を示す機能ブロック構成図である。なお、図５は、ＵＭＢシステムに従ったプロトコルスタック図も兼ねている。
【００６３】
図５に示すように、第１無線基地局１Ａは、ＡＰＰ部１１Ａ、ＩＲＴＰ部１２Ａ、ＲＬＰ部１３Ａ、ＳＰ部１４Ａ、ＲＰ部１５Ａ、及びＰＣＰ／ＭＡＣ／ＰＨＹ部１６Ａを含む。第２無線基地局１Ｂは、ＡＰＰ部１１Ｂ、ＩＲＴＰ部１２Ｂ、ＲＬＰ部１３Ｂ、ＳＰ部１４Ｂ、ＲＰ部１５Ｂ、及びＰＣＰ／ＭＡＣ／ＰＨＹ部１６Ｂを含む。
【００６４】
無線端末２の第１受信処理部２０Ａは、ＡＰＰ部２１Ａ、ＩＲＴＰ部２２Ａ、ＲＬＰ部２３Ａ、ＳＰ部２４Ａ、ＲＰ部２５Ａ、及びＰＣＰ／ＭＡＣ／ＰＨＹ部２６Ａを含む。無線端末２の第２受信処理部２０Ｂは、ＡＰＰ部２１Ｂ、ＩＲＴＰ部２２Ｂ、ＲＬＰ部２３Ｂ、ＳＰ部２４Ｂ、ＲＰ部２５Ｂ、及びＰＣＰ／ＭＡＣ／ＰＨＹ部２６Ｂを含む。
【００６５】
ＡＰＰ部１１Ａ、ＡＰＰ部１１Ｂ、ＡＰＰ部２１Ａ及びＡＰＰ部２１Ｂは、ＵＭＢシステムにおけるＡＰＰ（Application Protocol）に基づく処理を実行する。ＡＰＰは、ＩＰ（Internet Protocol）、ＲＯＨＣ（RObust Header Compression）、ＥＡＰ（Extensible Authentication Protocol）などのスタンダードプロトコルを複数有するプロトコルである。
【００６６】
ＩＲＴＰ部１２Ａ、ＩＲＴＰ部１２Ｂ、ＩＲＴＰ部２２Ａ及びＩＲＴＰ部２２Ｂは、ＵＭＢシステムにおけるＩＲＴＰ（Inter-Route Tunneling Protocol）に基づく処理を実行する。ＩＲＴＰは、無線端末内のモジュール間転送機能を有するプロトコルである。
【００６７】
ＲＬＰ部１３Ａ、ＲＬＰ部１３Ｂ、ＲＬＰ部２３Ａ及びＲＬＰ部２３Ｂは、ＵＭＢシステムにおけるＲＬＰ（Radio Link Protocol）に基づく処理を実行する。ＲＬＰは、パケット分割と再構築、下りの再送制御機能を有するプロトコルである。具体的には、ＲＬＰでは、パケット分割と再構築を行うＳＡＲ（Segmentation And Reassembly）サブプロトコルと、再送制御を行うＱＮ（Quick Nak）サブプロトコルとが規定されている。なお、本実施形態では、ＲＬＰ部１３Ａ、ＲＬＰ部１３Ｂ、ＲＬＰ部２３Ａ及びＲＬＰ部２３Ｂは、パケットの暗号化・復号化を実行する機能も有するとする。
【００６８】
ＳＰ部１４Ａ、ＳＰ部１４Ｂ、ＳＰ部２４Ａ及びＳＰ部２４Ｂは、ＵＭＢシステムにおけるＳＰ（Stream Protocol）に基づく処理を実行する。ＳＰは、分割された上位パケットをそれぞれのストリーム（パケットストリーム）に振り分けるプロトコルである。ここで、ＵＭＢシステムでは、ストリームとして、例えば次のような用途が規定されている。ストリーム０：Broadcast Signaling on forward link and Reserved on reverse link、ストリーム1：Best Effort Delivery Signaling、ストリーム2：Reliable Delivery Signaling、ストリーム3：Broadcast Inter Route Tunneling on forward link and Reserved on reverse link、ストリーム4：Best Effort Delivery Inter Route Tunnelingなど。
【００６９】
ＲＰ部１５Ａ、ＲＰ部１５Ｂ、ＲＰ部２５Ａ及びＲＰ部２５Ｂは、ＵＭＢシステムにおけるＲＰ（Route Protocol）に基づく処理を実行する。ＲＰは、無線端末−無線基地局間の通信経路（サービスルート）を選択するプロトコルである。
【００７０】
なお、上記のＲＬＰ、ＳＰ、ＲＰの各プロトコルは、ＵＭＢシステムで規定される無線リンクレイヤにおけるプロトコルである。
【００７１】
ＰＣＰ／ＭＡＣ／ＰＨＹ部１６Ａ、ＰＣＰ／ＭＡＣ／ＰＨＹ部１６Ｂ。ＰＣＰ／ＭＡＣ／ＰＨＹ部２６Ａ及びＰＣＰ／ＭＡＣ／ＰＨＹ部２６Ｂは、ＵＭＢシステムにおけるＰＣＰ／ＭＡＣ／ＰＨＹ(Packet Consolidation Protocol/MAC/PHY)に基づく処理を実行する。ＰＣＰ／ＭＡＣ／ＰＨＹは、上位パケットをカプセリング化して無線送信する機能を有するプロトコルである。
【００７２】
（２．２）ハンドオーバ元無線基地局の詳細構成
引き続き図５を参照して、ハンドオーバ元の第１無線基地局１Ａの詳細構成について説明する。
【００７３】
ハンドオーバ直後のデータの流れとして、第１無線基地局１Ａは、ＡＰＰ部１１ＡからのＡＰＰデータを、ＲＬＰ部１３Ａにおいて分割し、ＳＰ部１４Ａ及びＲＰ部１５Ａを介して、第２無線基地局１Ｂに転送する。その際、ＲＬＰ部１３ＡはＲＬＰヘッダ（Ａ）を付加し、ＳＰ部１４ＡはＳＰヘッダ（Ａ）を付加し、ＲＰ部１５ＡはＲＰヘッダ（Ａ）を付加する。
【００７４】
本実施形態において、ＲＬＰ部１３Ａ、ＳＰ部１４Ａ及びＲＰ部１５Ａは、無線端末２と第１無線基地局１Ａとの下り方向通信の制御に用いられる第１制御データ（ＲＬＰヘッダ（Ａ）、ＳＰヘッダ（Ａ）、ＲＰヘッダ（Ａ））を挿入する第１制御データ挿入部を構成する。また、ＲＰ部１５Ａは、無線端末２のハンドオーバ時において、第１制御データが挿入されたパケットを第２無線基地局１Ｂに転送するパケット転送部を構成する。
【００７５】
また、ＲＬＰ部１３Ａは、パケットを暗号化する第１暗号化部として機能するとともに、無線端末２が受信に失敗したパケットを無線端末２に再送する機能も有する。
【００７６】
（２．３）ハンドオーバ先無線基地局の詳細構成
引き続き図５を参照して、ハンドオーバ先の第２無線基地局１Ｂの詳細構成について説明する。
【００７７】
第２無線基地局１Ｂは、第１無線基地局１Ａから受信したパケットを、ＩＲＴＰ部１２Ｂ、ＲＬＰ部１３Ｂ、ＳＰ部１４Ｂ、ＲＰ部１５Ｂ及びＰＣＰ／ＭＡＣ／ＰＨＹ部１６Ｂを介して無線端末２に送信する。ＩＲＴＰ部１２Ｂでは、第１無線基地局１Ａが送信元であることを示すＩＲＴＰヘッダ（Ａ）が挿入される。また、ＲＬＰ部１３ＢはＲＬＰヘッダ（Ｂ）を付加し、ＳＰ部１４ＢはＳＰヘッダ（Ｂ）を付加し、ＲＰ部１５ＢはＲＰヘッダ（Ｂ）を付加する。
【００７８】
本実施形態において、ＩＲＴＰ部１２Ｂ、ＲＬＰ部１３Ｂ、ＳＰ部１４Ｂ及びＲＰ部１５Ｂは、第１無線基地局１Ａから受信したパケットに対し、無線端末２と第２無線基地局１Ｂとの下り方向通信の制御に用いられる第２制御データ（ＩＲＴＰヘッダ（Ａ）、ＲＬＰヘッダ（Ｂ）、ＳＰヘッダ（Ｂ）、ＲＰヘッダ（Ｂ））を挿入する第２制御データ挿入部を構成する。ＰＣＰ／ＭＡＣ／ＰＨＹ部１６Ｂは、第１制御データと第２制御データとが挿入されたパケットを無線端末２に送信するパケット送信部を構成する。
【００７９】
また、ＲＬＰ部１３Ｂは、パケットを暗号化する第２暗号化部として機能するとともに、無線端末２が受信に失敗したパケットを無線端末２に再送するパケット再送部としても機能する。
【００８０】
（２．４）無線端末の詳細構成
引き続き図５を参照して、無線端末２の詳細構成について説明する。
【００８１】
第２受信処理部２０Ｂは、第２無線基地局１Ｂから受信したパケットに挿入されている第２制御データに基づく受信処理を実行する。具体的には、ＲＰ部２５Ｂ、ＳＰ部２４Ｂ及びＲＬＰ部２３Ｂは、第２受信処理部２０ＢのＰＣＰ／ＭＡＣ／ＰＨＹ部２６Ｂで受信されたパケットに対し、第２制御データを構成するＲＰヘッダ（Ｂ）、ＳＰヘッダ（Ｂ）及びＲＬＰヘッダ（Ｂ）を取り外し、ＩＲＴＰパケットの形にする。ＩＲＴＰ部２２Ｂは、第２制御データを構成するＩＲＴＰヘッダに従い、パケットを第１受信処理部２０ＡのＲＰ部２５Ａに転送する。そして、第１受信処理部２０Ａは、パケットに挿入されている第１制御データ（ＲＬＰヘッダ（Ａ）、ＳＰヘッダ（Ａ）、ＲＰヘッダ（Ａ））に基づく受信処理を実行する。
【００８２】
また、ＲＬＰ部２３Ａは、ＲＬＰ部１３Ａが実行する暗号化に対応する復号化を実行する第１復号化部として機能する。ＲＬＰ部２３Ｂは、ＲＬＰ部１３Ｂが実行する暗号化に対応する復号化を実行する第２復号化部として機能する。
【００８３】
図６は、リアルタイム通信用パケットを処理する場合のデータの流れを示す図である。図６に示すように、ＲＰ部２５Ｂは、リアルタイム通信用パケットについては、ＲＰ部２５Ｂの上位プロトコルとなるＳＰ部２４Ｂではなく、第１受信処理部２０ＡのＲＰ部２５Ａにパケットを転送する。
【００８４】
（３）パケットの構成
図７は、パケット通信システム１０において用いられるパケットの構成を示す図である。
【００８５】
ＲＬＰ部１３Ａ及びＲＬＰ部１３Ｂは、図７（ａ）に示すようなＡＰＰデータを分割（フラグメント）し、分割したデータにＲＬＰヘッダを付加し、図７（ｂ）に示すＲＬＰパケットを生成する。ＲＬＰヘッダには、フラグメントされたデータの始点や終点を示すデータや、再送処理に使用されるシーケンス番号などが挿入される。
【００８６】
ＳＰ部１４Ａ及びＳＰ部１４Ｂは、図７（ｂ）に示すＲＬＰパケットにＳＰヘッダを付加し、図７（ｃ）に示すＳＰパケットを生成する。ＳＰヘッダには、ＲＬＰパケットの用途に応じたストリームへの振り分けに用いられるデータが挿入される。
【００８７】
ＲＰ部１５Ａ及びＲＰ部１５Ｂは、図７（ｃ）に示すＳＰパケットにＲＰヘッダを付加し、図７（ｄ）に示すＲＰパケットを生成する。ＲＰヘッダには、上記サービスルートを識別するためのデータが挿入される。
【００８８】
さらに、ＩＲＴＰ部１２Ｂは、ハンドオーバ元の第１無線基地局１Ａを示すＩＲＴＰヘッダを付加する。この結果、ＲＬＰヘッダ、ＳＰヘッダ、ＲＰヘッダ、ＩＲＴＰヘッダ合計で３バイト〜３３バイトとなる。
【００８９】
（４）パケット通信システムの概略動作
次に、パケット通信システムの概略動作、具体的には、（４．１）パケット通信システムの動作パターン１、（４．２）パケット通信システムの動作パターン２について説明する。ここで、動作パターン１は、リアルタイム通信用パケット以外のパケットに適用される動作パターンである。動作パターン２は、リアルタイム通信用パケットに適用される動作パターンである。
【００９０】
（４．１）パケット通信システムの動作パターン１
図８は、パケット通信システムの動作パターン１を説明するための概念図である。
【００９１】
図８（ａ）に示すように、第１無線基地局１Ａは、アクセスゲートウェイ３から受信したＩＰペイロードに暗号化を施し、そのデータに第１無線基地局１Ａ用の各種ヘッダ（ＲＬＰヘッダ（Ａ）、ＳＰヘッダ（Ａ）、ＲＰヘッダ（Ａ））を付与し、第２無線基地局１Ｂに転送する。
【００９２】
このパケットを受信した第２無線基地局１Ｂは、暗号化されたＩＰペイロード及び第１無線基地局１Ａ用の各種ヘッダ（ＲＬＰヘッダ（Ａ）、ＳＰヘッダ（Ａ）、ＲＰヘッダ（Ａ））を１つのペイロードとみなして更に暗号化を施す。そして、第２無線基地局１Ｂは、第２無線基地局１Ｂ用の各種ヘッダ（ＲＬＰヘッダ（Ｂ）、ＳＰヘッダ（Ｂ）、ＲＰヘッダ（Ｂ）、ＩＲＴＰヘッダ（Ａ））を付与し、無線端末２に送信する。
【００９３】
図８（ｂ）に示すように、無線端末２は、第２無線基地局１Ｂ用のヘッダ（ＲＬＰヘッダ（Ｂ）、ＳＰヘッダ（Ｂ）、ＲＰヘッダ（Ｂ））を参照して復号化を施す。無線端末２は、第１無線基地局１Ａ用の各種ヘッダ（ＲＬＰヘッダ（Ａ）、ＳＰヘッダ（Ａ）、ＲＰヘッダ（Ａ）、ＩＲＴＰヘッダ（Ａ））と、第１無線基地局１Ａによって暗号化されたＩＰペイロードとを取得する。次に無線端末２は、第１無線基地局１Ａ用の各種ヘッダ（ＲＬＰヘッダ（Ａ）、ＳＰヘッダ（Ａ）、ＲＰヘッダ（Ａ））を参照して復号化を施し、ＩＰペイロードを取得する。
【００９４】
このように、リアルタイム通信用パケット以外のパケットについては、第１無線基地局１Ａ及び第２無線基地局１Ｂのそれぞれが暗号化を行い、無線端末２が復号化を２回行う。
【００９５】
（４．２）パケット通信システムの動作パターン２
図９は、パケット通信システムの動作パターン２を説明するための概念図である。
【００９６】
図９に示すように、第１無線基地局１Ａは、アクセスゲートウェイ３から受信したＩＰペイロードに暗号化を施し、そのデータに第１無線基地局１Ａ用の各種ヘッダ（ＲＬＰヘッダ（Ａ）、ＳＰヘッダ（Ａ）、ＲＰヘッダ（Ａ））を付与し、第２無線基地局１Ｂに転送する。その際、第１無線基地局１ＡのＲＬＰ部１３Ａは、リアルタイム通信用パケットであることを判別し、ＲＰ部１５Ａは、リアルタイム通信用パケットを示す第１識別情報をリアルタイム通信用パケットに挿入する。
【００９７】
このパケットを受信した第２無線基地局１Ｂは、第１識別情報に基づきリアルタイム通信用パケットであることを判別し、暗号化を省略するとともに、第２無線基地局１Ｂ用の各種ヘッダ（ＲＬＰヘッダ（Ｂ）、ＳＰヘッダ（Ｂ）、ＩＲＴＰヘッダ（Ａ））の付加も省略し、無線端末２に送信する。その際、第２無線基地局１ＢのＲＰ部１５Ｂは、リアルタイム通信用パケットを示す第２識別情報をリアルタイム通信用パケットに挿入する。
【００９８】
このパケットを受信した無線端末２は、第２識別情報に基づきリアルタイム通信用パケットであることを判別し、１回目の復号化を省略するとともに、第２無線基地局１Ｂ用の各種ヘッダ（ＲＬＰヘッダ（Ｂ）、ＳＰヘッダ（Ｂ）、ＩＲＴＰヘッダ（Ａ））に基づく受信処理を省略する。そして、無線端末２は、第１無線基地局１Ａ用の各種ヘッダ（ＲＬＰヘッダ（Ａ）、ＳＰヘッダ（Ａ）、ＲＰヘッダ（Ａ））を参照して復号化を施し、ＩＰペイロードを取得する。
【００９９】
（５）ハンドオーバ元無線基地局の動作
次に、ハンドオーバ元無線基地局（すなわち、第１無線基地局１Ａ）の動作、具体的には、（５．１）リアルタイム通信用パケットの判別動作、（５．２）ハンドオーバ元無線基地局の動作フローについて説明する。
【０１００】
（５．１）リアルタイム通信用パケットの判別動作
図１０は、リアルタイム通信用パケットの判別動作を説明するための図である。上述したように、第１無線基地局１ＡのＲＬＰ部１３Ａは、リアルタイム通信用パケットであるか否かを判別する。ここでは、リアルタイム通信用パケットとして音声パケット（ＶｏＩＰパケット）の判別動作について説明する。
【０１０１】
例えば、音声パケットの判別方法は、ＵＤＰ（User Datagram Protocol）であり、且つ音声パケットとして適切なＩＰペイロードサイズの連続したパケットであるか否かを判別する手法である。音声パケットとして適切なＩＰペイロードサイズの判定基準は、使用用途やＱｏＳポリシーにより様々な設定が考えられるが、本実施形態では以下の方式を採用する。
【０１０２】
ＶｏＩＰアプリケーションの音声符号化方式としてＧ．７２９などを採用している場合、データサイズの少ないパケットを短いインターバルで連続して送信し続けるという特質を持つ。パケット送信のインターバルにより、図１０に示すように、１パケット当たりの音声ペイロードサイズが変更する。このため、システムとして許容するジッタバッファが４０ｍｓインターバルまでを許容する場合、本データサイズの上限はヘッダ部と音声データ（ペイロード）とを合わせて８０バイトとなる。
【０１０３】
また、リアルタイム通信の特性として、宛先ＩＰアドレス、送信元ＩＰアドレス、ＵＤＰ宛先ポート番号、ＵＤＰ送信元ポート番号が、同一であり、且つ同一サイズのパケットを連続して送信する。このため、上記のサイズ判定に加えて、一定回数（n回）分同じサイズ且つ、ＩＰアドレス・ＵＤＰポート番号が同一の通信コネクションをリアルタイム通信とみなすこともできる。
【０１０４】
ＲＬＰ部１３Ａによってリアルタイム通信用パケットであると判別された場合、ＲＰ部１５Ａは、リアルタイム通信用パケットを示す第１識別情報をリアルタイム通信用パケットに挿入する。具体的には、ＲＰ部１５Ａは、図１１に示すように、ＲＰヘッダにＶｏＩＰパケットである旨の第１識別情報を設定し、ＦＬＳＥである第２無線基地局１Ｂへ転送する。図１１では、７ビットのルートＩＤフィールドが追加されており、当該フィールドに第１識別情報が挿入される。
【０１０５】
（５．２）ハンドオーバ元無線基地局の動作フロー
図１２は、ハンドオーバ元無線基地局（すなわち、第１無線基地局１Ａ）の動作を示すフローチャートである。
【０１０６】
ステップＳ１０１において、第１無線基地局１Ａは、アクセスゲートウェイ３から、無線端末２へ送信すべきパケットを受信する。
【０１０７】
ステップＳ１０２において、第１無線基地局１Ａは、ＤＡＰとして動作しているか否かを判定する。ＤＡＰとして動作している場合には処理がステップＳ１０３に進み、ＤＡＰとして動作していない場合には処理がステップＳ１０８に進む。
【０１０８】
ステップＳ１０３において、第１無線基地局１Ａは、ＦＬＳＥとして動作しているか否かを判定する。ＦＬＳＥとして動作している場合には処理がステップＳ１０８に進み、ＦＬＳＥとして動作していない場合には処理がステップＳ１０４に進む。ここで、第１無線基地局１ＡのＲＬＰ部１３Ａは、自局がＦＬＳＥではないと判断した場合に、リアルタイム通信用パケット検出機能を有効にする。
【０１０９】
ステップＳ１０４において、第１無線基地局１ＡのＲＬＰ部１３Ａは、ステップＳ１０１で受信したパケットが音声パケット（ここではＶｏＩＰパケット）であるか否かを判定する。受信したパケットがＶｏＩＰパケットである場合には処理がステップＳ１０５に進み、受信したパケットがＶｏＩＰパケットでない場合には処理がステップＳ１０８に進む。
【０１１０】
ステップＳ１０５において、第１無線基地局１ＡのＲＬＰ部１３Ａは、第２無線基地局１Ｂに転送すべきパケットを、バッファ部１０４ａにおける高優先度のキューに格納する。すなわち、ＲＰ部１５Ａは、第２無線基地局１Ｂに転送されるパケットがＶｏＩＰパケットである場合、ＶｏＩＰパケットと異なる種別のパケットよりもＶｏＩＰパケットを優先して第２無線基地局１Ｂに転送するように動作する。
【０１１１】
ステップＳ１０６において、第１無線基地局１ＡのＲＰ部１５Ａは、ＶｏＩＰパケットに対して、ＶｏＩＰパケットであることを識別する第１識別情報を挿入する。ステップＳ１０７において、ＲＰ部１５Ａは、バッファ部１０４ａに格納されたＶｏＩＰパケットを第２無線基地局１Ｂに転送する。
【０１１２】
一方、ステップＳ１０８においては、第１無線基地局１ＡのＲＰ部１５Ａは、ステップＳ１０１で受信したパケットを、バッファ部１０４ａにおける通常優先度のキューに格納する。ステップＳ１０９において、ＲＰ部１５Ａは、バッファ部１０４ａにおける高優先度のキューにパケットが格納されているか否かを判定する。高優先度のキューにパケットが格納されている場合には、当該パケットが優先して転送される。
【０１１３】
ステップＳ１１０において、第１無線基地局１ＡのＲＰ部１５Ａは、第２無線基地局１Ｂに転送するパケットに通常のＲＰヘッダを付加する。ステップＳ１１１において、ＲＰ部１５Ａは、バッファ部１０４ａに格納されたパケットを第２無線基地局１Ｂに転送する。
【０１１４】
このように、ユーザトラフィックの中にリアルタイム通信及びリアルタイム通信以外のパケット混在している場合、第１無線基地局１Ａは、リアルタイム通信以外のパケットについては一時的に優先度の低いバッファにキューイングし、リアルタイム通信パケットを最優先で第２無線基地局１Ｂへ転送する。
【０１１５】
（６）ハンドオーバ先無線基地局の動作
図１３は、ハンドオーバ先無線基地局（すなわち、第２無線基地局１Ｂ）の動作を示すフローチャートである。
【０１１６】
ステップＳ２０１において、第２無線基地局１Ｂは、第１無線基地局１Ａから、無線端末２へ送信すべきパケットを受信する。
【０１１７】
ステップＳ２０２において、第１無線基地局１Ａから受信したパケットがＶｏＩＰパケットであるか否かを、第１無線基地局１ＡによりＲＰヘッダに挿入された第１識別情報に基づき判定する。第１無線基地局１Ａから受信したパケットがＶｏＩＰパケットである場合には処理がステップＳ２０３に進み、ＶｏＩＰパケット以外のパケットである場合には処理がステップＳ２０６に進む。
【０１１８】
ステップＳ２０３において、第２無線基地局１ＢのＩＲＴＰ部１２Ｂ、ＲＬＰ部１３Ｂ及びＳＰ部１４Ｂは、ＩＲＴＰヘッダ（Ａ）、ＲＬＰヘッダ（Ｂ）、ＳＰヘッダ（Ｂ）の挿入を省略する。
【０１１９】
ステップＳ２０４において、第２無線基地局１ＢのＲＬＰ部１３Ｂは、暗号化処理及び再送処理も省略する。
【０１２０】
ステップＳ２０５において、第２無線基地局１ＢのＲＰ部１５Ｂは、ＲＰヘッダを付加するとともに、上述した第２識別情報をＲＰヘッダに挿入する。
【０１２１】
一方、ＶｏＩＰパケットではないと判定後のステップＳ２０６において、第２無線基地局１ＢのＩＲＴＰ部１２Ｂ、ＲＬＰ部１３Ｂ及びＳＰ部１４Ｂは、ＩＲＴＰヘッダ（Ａ）、ＲＬＰヘッダ（Ｂ）、ＳＰヘッダ（Ｂ）を挿入する。
【０１２２】
ステップＳ２０７において、第２無線基地局１ＢのＲＬＰ部１３Ｂは、暗号化処理及び再送処理を実行する。ステップＳ２０８において、第２無線基地局１ＢのＲＰ部１５Ｂは、通常のＲＰヘッダを付加する。
【０１２３】
ステップＳ２０９において、第２無線基地局１ＢのＰＣＰ／ＭＡＣ／ＰＨＹ部１６Ｂは、無線端末２へパケットを送信する。
【０１２４】
（７）無線端末の動作
図１４は、無線端末２の動作を示すフローチャートである。
【０１２５】
ステップＳ３０１において、無線端末２は、第２無線基地局１Ｂからパケット（ＲＰパケット）を受信する。
【０１２６】
ステップＳ３０２において、無線端末２は、第２無線基地局１Ｂから受信したパケットがＶｏＩＰパケットであるか否かを、第２無線基地局１ＢによりＲＰヘッダに挿入された第２識別情報に基づき判定する。第２無線基地局１Ｂから受信したパケットがＶｏＩＰパケットである場合には処理がステップＳ３０３に進む。なお、第２無線基地局１Ｂから受信したパケットがＶｏＩＰパケットでない場合には、ＵＭＢシステムにおける通常の受信処理が実行される。
【０１２７】
ステップＳ３０３において、無線端末２のＲＰ部２５Ｂは、第２無線基地局１Ｂから受信したパケットのＲＰヘッダを取り外す。そして、ＲＰ部２５Ｂは、第２無線基地局１Ｂから受信したパケットをＲＰ部２５Ａに内部転送する（ステップＳ３０４）。
【０１２８】
この結果、無線端末２のＩＲＴＰ部２２Ｂ、ＲＬＰ部２３Ｂ及びＳＰ部２４Ｂの処理が省略される。ＲＬＰ部２３Ｂの処理が省略されるため、ＲＬＰ部２３Ｂが実行する復号化及び再送処理も省略されることになる。
【０１２９】
ステップＳ３０５において、無線端末２のＡＰＰ部２１Ａ、ＩＲＴＰ部２２Ａ、ＲＬＰ部２３Ａ、ＳＰ部２４Ａ及びＲＰ部２５Ａは、通常の受信処理を実行する。
【０１３０】
（８）作用及び効果
以上説明したように、第２無線基地局１ＢのＩＲＴＰ部１２Ｂ、ＲＬＰ部１３Ｂ及びＳＰ部１４Ｂは、第１無線基地局１Ａから受信したパケットがリアルタイム通信用パケットである場合、ＩＲＴＰヘッダ（Ａ）、ＲＬＰヘッダ（Ｂ）、ＳＰヘッダ（Ｂ）の挿入を省略する。また、無線端末２の第２受信処理部２０Ｂは、第２無線基地局１Ｂから受信したパケットがリアルタイム通信用パケットである場合、ＩＲＴＰヘッダ（Ａ）、ＲＬＰヘッダ（Ｂ）、ＳＰヘッダ（Ｂ）に基づく受信処理を省略する。
【０１３１】
したがって、パケット通信システム１０によれば、ＵＭＢシステムに準拠しつつ、リアルタイム通信用パケットに対するオーバヘッド及び処理負荷を低減することができる。特に、無線端末２は、有限なバッテリによって駆動されることが一般的であり、無線端末２の処理負荷を低減することで、無線端末２の動作可能時間を延長することができる。
【０１３２】
本実施形態では、第２無線基地局１ＢのＲＬＰ部１３Ｂは、第１無線基地局１Ａから受信したパケットがリアルタイム通信用パケットである場合、第１無線基地局１Ａから受信したパケットに対する暗号化を省略する。無線端末２のＲＬＰ部２３Ｂは、第２無線基地局１Ｂから受信したパケットがリアルタイム通信用パケットである場合、第２無線基地局１ＢのＲＬＰ部１３Ｂが実行する暗号化に対応する復号化を省略する。したがって、リアルタイム通信用パケットについては冗長となる暗号化・復号化を省略することによって、ＵＭＢシステムに準拠しつつ、リアルタイム通信用パケットに対するオーバヘッド及び処理負荷をさらに低減可能となる。
【０１３３】
本実施形態では、第２無線基地局１ＢのＲＬＰ部１３Ｂは、第１無線基地局１Ａから受信したパケットがリアルタイム通信用パケットである場合、無線端末２が受信に失敗したパケットの再送を省略する。ここで、第１無線基地局１ＡのＲＬＰ部１３Ａと、無線端末２のＲＬＰ部２３Ａとの間で再送処理が実行されるため、ＲＬＰ部１３Ｂによる再送処理が冗長となる。リアルタイム通信用パケットについては、このような冗長な再送処理を省略することによって、ＵＭＢシステムに準拠しつつ、リアルタイム通信用パケットに対するオーバヘッド及び処理負荷をさらに低減可能となる。
【０１３４】
本実施形態では、第１無線基地局１ＡのＲＰ部１５Ａは、第２無線基地局１Ｂに転送されるパケットがリアルタイム通信用パケットであると判定された場合、リアルタイム通信用パケットと異なる種別のパケットよりもリアルタイム通信用パケット特定種別のパケットを優先して第２無線基地局１Ｂに転送する。このように、リアルタイム通信用パケット以外のパケットを別キューに保存して後回しにすることで、リアルタイム通信用パケットを優先的に運搬し、リアルタイム通信用パケットの伝送遅延を低減するとともに、無線経路上のトラフィックを軽減することが可能となる。
【０１３５】
本実施形態では、第１無線基地局１ＡのＲＬＰ部１３Ａは、無線端末２に送信すべきパケットにおけるペイロード領域のデータサイズに応じて、リアルタイム通信用パケットであるか否かの判定を行う。これにより、リアルタイム通信用パケットを確実に検出可能となる。
【０１３６】
本実施形態では、第１無線基地局１ＡのＲＰ部１５Ａは、第２無線基地局１Ｂに転送されるパケットがリアルタイム通信用パケットであると判定された場合、リアルタイム通信用パケットであることを示す識別情報を第２無線基地局１Ｂに転送されるパケットに挿入する。第２無線基地局１ＢのＩＲＴＰ部１２Ｂ、ＲＬＰ部１３Ｂ及びＳＰ部１４Ｂは、第１無線基地局１Ａから受信したパケットに上記識別情報が挿入されている場合、第１無線基地局１Ａから受信したパケットがリアルタイム通信用パケットであるとみなして、ＩＲＴＰヘッダ（Ａ）、ＲＬＰヘッダ（Ｂ）、ＳＰヘッダ（Ｂ）の挿入を省略する。したがって、第２無線基地局１Ｂは、リアルタイム通信用パケットであるか否かを容易に判定可能となるとともに、判定に要する時間が短縮されるため、リアルタイム通信用パケットの伝送遅延が低減される。
【０１３７】
本実施形態では、第２無線基地局１ＢのＲＰ部１５Ｂは、第１無線基地局１Ａから受信したパケットに上記識別情報が挿入されている場合、リアルタイム通信用パケットであることを示す識別情報を無線端末２に送信されるパケットに挿入する。無線端末２の第２受信処理部２０Ｂは、第２無線基地局１Ｂから受信したパケットに上記識別情報が挿入されている場合、第２無線基地局１Ｂから受信したパケットがリアルタイム通信用パケットであるとみなしてＩＲＴＰヘッダ（Ａ）、ＲＬＰヘッダ（Ｂ）、ＳＰヘッダ（Ｂ）に基づく受信処理を省略する。したがって、無線端末２は、リアルタイム通信用パケットであるか否かを容易に判定可能となるとともに、判定に要する時間が短縮されるため、リアルタイム通信用パケットの伝送遅延（処理遅延）が低減される。
【０１３８】
このように、本実施形態では、ＵＭＢシステムに準拠しつつ、リアルタイム通信用パケット（リアルタイムパケット）と判断したパケットについて、ヘッダによるオーバヘッドを低減するとともに、暗号化・再送などの冗長な処理を省略し、且つ他のパケットよりも最優先で伝送することで、通信品質の安定化が可能となる。また、リアルタイム通信においてパケットの欠落や遅延を低減可能となる。特に、音声通信において、音切れや方通話等をより確実に回避することができる。
【０１３９】
（９）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１４０】
上述した実施形態では、リアルタイム通信用パケットについて、ＲＬＰ部１３Ｂ及びＲＬＰ部２３Ｂにおける再送処理を省略していた。しかしながら、このような無線リンクレイヤでの再送処理に加えて、無線リンクレイヤよりも下位のレイヤで実行される再送処理を省略してもよい。具体的には、リアルタイム通信用パケットについて、ＰＣＰ／ＭＡＣ／ＰＨＹ部１６Ｂ及びＰＣＰ／ＭＡＣ／ＰＨＹ部２６Ｂが実行する自動再送制御（ＡＲＱ）を省略可能である。
【０１４１】
上述した実施形態では、リアルタイム通信用パケットとして、主に音声パケットを例に説明したが、映像データを伝送する映像パケットについてもリアルタイム性が要求されることがあるため、映像パケットもリアルタイム通信用パケットに含まれる。あるいは、このようなリアルタイム通信用パケットに限らず、特別なＱｏＳが要求されるパケットであれば本発明を適用できる。
【０１４２】
上述した実施形態では、ＵＭＢシステムに基づく構成について説明したが、ＵＭＢシステムに限らず、ハンドオーバ時に無線基地局間でパケットを転送するシステムであれば本発明を適用可能である。
【０１４３】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【０１４４】
【図１】本発明の実施形態に係るパケット通信システムの全体概略構成図である。
【図２】本発明の実施形態に係る第１無線基地局の概略構成を示す概略構成図である。
【図３】本発明の実施形態に係る無線端末の概略構成を示す概略構成図である。
【図４】本発明の実施形態に係る無線端末の第１受信処理部及び第２受信処理部を説明するための図である。
【図５】本発明の実施形態に係る第１無線基地局、第２無線基地局及び無線端末の詳細構成を示す機能ブロック構成図である。
【図６】本発明の実施形態に係るリアルタイム通信用パケットを処理する場合のデータの流れを示す図である。
【図７】本発明の実施形態に係るパケット通信システムにおいて用いられるパケットの構成を示す図である。
【図８】本発明の実施形態に係るパケット通信システムの動作パターン１を説明するための概念図である。
【図９】本発明の実施形態に係るパケット通信システムの動作パターン２を説明するための概念図である。
【図１０】本発明の実施形態に係るリアルタイム通信用パケットの判別動作を説明するための図である。
【図１１】本発明の実施形態に係るＲＰヘッダにＶｏＩＰパケットである旨の第１識別情報を示す図である。
【図１２】本発明の実施形態に係る第１無線基地局の動作を示すフローチャートである。
【図１３】本発明の実施形態に係る第２無線基地局の動作を示すフローチャートである。
【図１４】本発明の実施形態に係る無線端末の動作を示すフローチャートである。
【符号の説明】
【０１４５】
１Ａ…第１無線基地局、１Ｂ…第２無線基地局、２…無線端末、３…アクセスゲートウェイ、４…インターネット、１０…パケット通信システム、１１Ａ，１１Ｂ，２１Ａ，２１Ｂ…ＡＰＰ部、１２Ａ，１２Ｂ，２２Ａ，２２Ｂ…ＩＲＴＰ部、１３Ａ，１３Ｂ，２３Ａ，２３Ｂ…ＲＬＰ部、１４Ａ，１４Ｂ，２４Ａ，２４Ｂ…ＳＰ部、１５Ａ，１５Ｂ，２５Ａ，２５Ｂ…ＲＰ部、１６Ａ，１６Ｂ，２６Ａ，２６Ｂ…ＰＣＰ／ＭＡＣ／ＰＨＹ部、２０Ａ…第１受信処理部、２０Ｂ…第２受信処理部、１０１…ＲＦ部、１０２…制御部、１０３…Ｉ／Ｆ部、１０４…記憶部、１０４ａ…バッファ部、２０１…ＲＦ部、２０２…操作部、２０３…制御部、２０４…音声コーデック部、２０５…マイク、２０６…スピーカ、２０７…表示部、２０８…記憶部
【図１】
2009206815.tif 000003
【図２】
2009206815.tif 000004
【図３】
2009206815.tif 000005
【図４】
2009206815.tif 000006
【図５】
2009206815.tif 000007
【図６】
2009206815.tif 000008
【図７】
2009206815.tif 000009
【図８】
2009206815.tif 000010
【図９】
2009206815.tif 000011
【図１０】
2009206815.tif 000012
【図１１】
2009206815.tif 000013
【図１２】
2009206815.tif 000014
【図１３】
2009206815.tif 000015
【図１４】
2009206815.tif 000016